(57)【要約】【課題】無線伝搬状態にかかわらず、映像伝送速度が変化せず受信部の受信映像データの途切れが発生せず、映像画面の乱れが発生することのない無線データ伝送方式を提供する。【解決手段】本発明においては圧縮された映像データを伝送する場合、前記映像データの圧縮方式と画像サイズに合わせて、送信部でデータ伝送スピードを決めかつ固定して送信し、受信部で送信部のデータ伝送スピードに合わせてかつ固定し受信し、それ以外のデータの場合は、データ伝送速度は、その時の無線伝搬状態により送ることの出来る最速のスピードで伝送する構成とした。【選択図】　　　　図２
2004007183.tif 000002
【特許請求の範囲】
【請求項１】
コンピュータ相互のデータ伝送を無線で行う無線データ伝送
方式において、圧縮された映像データを内部に持つコンピュータと無線データ送信機からなる送信部と、無線データを受信する受信機と受信映像データを表示する表示装置もしくは格納する記憶装置を持ったコンピュターからなる受信部とで構成され、無線データ伝送スピードは可変出来、前記送信部において圧縮された映像データを伝送する場合に、前記映像データの圧縮方式と画像サイズを確認する工程と、確認した圧縮方式と画像サイズに合わせて、データ伝送スピードを決めかつ固定する工程と、固定された伝送スピードで映像データ伝送を行う工程を有する送出工程と、前記受信部においてデータを受信し、伝送スピードを確認する工程と、前記伝送伝送スピードに合わせて映像データを受信する工程からなる受信工程とを有し、前記映像データがＭＰＥＧ２方式で圧縮され、画面サイズがスタンダードディフィニションの場合、データ伝送速度はリンクレート１２Ｍｂｐｓであり、それ以外のデータの場合は、データ伝送速度は、その時の無線伝搬状態により送ることの出来る最速のスピードで伝送する事を特徴とする無線データ伝送方法。
【請求項２】
前記映像データを送出する際に送信部でデータのヘッダー部に映像データの圧縮形式と画像サイズに合わせたデータ伝送速度を付加し、送信する工程と、受信部でヘッダー部に付加されたデータ伝送速度を読みとり、受信データ伝送速度を決めて受信する工程を有する事を特徴とする請求項１に記載の無線データ伝送方法。
【発明の詳細な説明】
【０００１】
【発明の属する技術分野】
本発明は無線データ伝送方法に係わり、特に圧縮された映像データを移動するコンピュータ間で無線データ伝送するのに好適な無線データ伝送方法に関する。
【０００２】
【従来の技術】
従来５ＧＨｚ帯の周波数を使用する無線データ伝送方法では送信部、受信部間の距離、障害物の有無によって影響される無線伝搬状態の変化に合わせてデータ伝送スピードをリンクレート６Ｍｂｐｓ〜５４Ｍｂｐｓの範囲で変化させ、その時の無線伝搬状態で送れる最速のスピードでデータを無線で伝送していた。
【０００３】
図５は従来の無線データ伝送方法に係るシステムのブロック構成図である。
図５に示されるように、送信部は圧縮された映像データを格納する記憶装置８とその表示装置９ａとを持つコンピュータ９と、映像データ等のベースバンド信号をＲＦ信号に変換し無線伝送する無線データ送信装置１０とからなり、受信部はＲＦ信号を受信し映像データ等のベースバンド信号に変換する無線データ受信装置１１と受信映像データを表示する表示装置１２ａもしくは格納する記憶装置１３を持ったコンピュータ１２からなる。
【０００４】
前記構成による無線データ伝送における送信処理ルーチンを図６のフローチャートに従って説明する。
【０００５】
図６に示されるように送信処理ルーチンでは、まず無線伝搬状態を確認するために、送信部のコンピュータ１０は、ステップＳ４１において遅い伝送スピード（リンクレート６Ｍｂｐｓ）を設定し、ステップＳ４２においてデータを送出し、受信部は受信したデータを再送信し、送信部に送り返す。ステップＳ４３において送信部のコンピュータ１０で送出したデータと受信したデータを比較確認し差異が無かった場合、ステップ４４において伝送スピードを確認しリンクレート５４Ｍｂｐｓ以下であった場合は、ステップＳ４５にて伝送スピードをリンクレート３Ｍｂｐｓ以上上げて再度前記比較確認を行う。
【０００６】
これを繰り返してゆき、ステップＳ４３において送出したデータと受信したデータ間でデータの差異が発生した時、ステップＳ４６において伝送スピードに差異が発生しなかった時の最速の伝送スピードを選択しステップＳ４７において伝送スピードを決定する。
ステップＳ４８において前記伝送スピードの値をデータのヘッダー部に付加し、前記伝送スピードでデータの伝送を行う。
次に、受信処理ルーチンを図７のフローチャートに従って説明する。
図７の受信ソフトルーチンに示されるように、まずステップＳ５１において受信部のコンピュータ１１が受信データのヘッダー部を確認し、ステップＳ５２において送信部で決められた伝送スピードを確認し、ステップＳ５３にて伝送スピードを決定し、データの受信を行う。
このように、その時の無線伝搬状態で送れる最速のスピードでデータを無線で伝送をすることになる。
【０００７】
【発明が解決しようとする課題】
上記従来の方式では、送信部と受信部間の距離が変化した場合や、及び送信部と受信部間に障害物が入って来て無線伝搬状態が劣化した場合等に、エラーが増大し、データの伝送が困難になり、伝送スピードを落として、再送信をすることになる。
送信部で映像データ以外のデータを送信していた場合は、一時的に送信データが途切れても、特に問題は発生しない。しかし、無線伝搬状態が劣化した時に、送信部で映像データを送信していた場合は、一時的に送信データが途切れ、受信部の受信映像データが止まり、映像画面の乱れが発生する。従って送信部もしくは受信部が頻繁に移動した場合は画像の乱れが頻繁に発生する問題が有った。
【０００８】
そこで本発明においては無線伝搬状態が劣化しても、伝送映像データのデータ途切れの無い、受信映像画面に乱れを発生させない無線データ伝送方式を提供することを目的とする。
【０００９】
【課題を解決するための手段】
前記課題を解決するため、本発明においては、コンピュータ相互のデータ伝送を無線で行う無線データ伝送方式において、圧縮された映像データを内部に持つコンピュータと無線データ送信機からなる送信部と、無線データを受信する受信機と受信映像データを表示する表示装置もしくは格納する記憶装置を持ったコンピュターからなる受信部とで構成され、無線データ伝送スピードは可変出来、前記送信部において圧縮された映像データを伝送する場合に、前記映像データの圧縮方式と画像サイズを確認する工程と、確認した圧縮方式と画像サイズに合わせて、データ伝送スピードを決めかつ固定する工程と、固定された伝送スピードで映像データ伝送を行う工程を有する送出工程と、前記受信部においてデータを受信し、伝送スピードを確認する工程と、前記伝送伝送スピードに合わせて映像データを受信する工程からなる受信工程とを有し、前記映像データがＭＰＥＧ２方式で圧縮され、画面サイズがスタンダードディフィニションの場合、データ伝送速度はリンクレート１２Ｍｂｐｓであり、それ以外のデータの場合は、データ伝送速度は、その時の無線伝搬状態により送ることの出来る最速のスピードで伝送する構成とした。
【００１０】
また前記映像データを送出する際に送信部でデータのヘッダー部に映像データの圧縮形式と画像サイズに合わせたデータ伝送速度を付加し、送信する工程と、受信部でヘッダー部に付加されたデータ伝送速度を読みとり、受信データ伝送速度を決めて受信する工程を有する構成とした。
【００１１】
【発明の実施の形態】
以下本発明の無線データ伝送方法の実施の形態を図１乃至図４を参照して説明する。
【００１２】
図１は本発明の無線データ伝送方法に係るシステムのブロック構成図である。
【００１３】
図１に示されるように、送信部は圧縮された映像データを格納する記憶装置１とその表示装置２ａとを持つコンピュータ２と、映像データ等のベースバンド信号をＲＦ信号に変換し無線伝送する無線データ送信装置３とからなり、受信部はＲＦ信号を受信し映像データ等のベースバンド信号に変換する無線データ受信装置４と、受信映像データを表示する表示装置５ａもしくは格納する記憶装置６を持ったコンピュータ５とからなる。
【００１４】
前記構成による無線データ伝送における送信処理ルーチンを図２のフローチャートに従って説明する。
【００１５】
図２に示されるように送信処理ルーチンでは、まずステップＳ１においてコンピュター２が記憶装置１内に持つ伝送するデータのヘッダー部を確認しデータが映像データかどうか判断する。ステップＳ２においてデータが映像データであった場合は、ステップＳ４において映像データの圧縮方法の種類がＭＰＥＧ２か判断する。ステップＳ５において画像サイズをスタンダードディフィニションか判断する。ステップＳ６において伝送スピードを決定する。ステップＳ４においてデータがＭＰＥＧ２で圧縮されていると判断され、ステップＳ５において画像サイズがスタンダードディフィニションであった場合は、ステップ７において伝送スピードはリンクレート１２Ｍｂｐｓ（実行レートは約６Ｍｂｐｓとなる）に決定する。決定した伝送スピードの値はステップＳ７において伝送データのヘッダー部に付加され、決定した伝送スピードでスタートさせる。
【００１６】
ステップＳ２において伝送するデータが映像データでなかった場合は、ステップ３において無線伝搬状態の確認を行う。図３は無線伝搬状態の確認を行うサブルーチンを示す。まず無線伝搬状態を確認するために、送信部のコンピュータ３は、ステップＳ２１において遅い伝送スピード（リンクレート６Ｍｂｐｓ）を設定し、ステップＳ２２においてデータを送出し、受信部は受信したデータを再送信し、送信部に送り返す。ステップＳ２３において送信部のコンピュータ５で送出したデータと受信したデータを比較確認し差異が無かった場合、ステップＳ２５にて伝送スピードをリンクレート３Ｍｂｐｓ以上上げて再度前記比較確認を行う。
【００１７】
これを繰り返してゆき、ステップＳ２３において送出したデータと受信したデータ間でデータの差異が発生した時、ステップＳ２６において伝送スピードに差異が発生しなかった時の最速の伝送スピードを選択しステップＳ２７において伝送スピードを決定する。
これ以降は図２のステップＳ７に進む。
【００１８】
伝送がスタートしたら、映像データはパケットに分けられる。
パケットに分けられたデータは無線データ送信装置３にて高周波信号に変換され無線データ送信装置３のアンテナより外部に送信される。
【００１９】
送信された高周波信号は無線データ受信装置４のアンテナを介して受信され、無線データ受信装置内でベースバンド信号に変換され、パケット状態に復元される。
パケット状態になったデータはコンピュータ５に読み込まれる。
【００２０】
図４はコンピュータ５内部での受信処理ルーチンを示すフローチャートであり、ステップＳ３１において、まず受信したデータのヘッダー部を確認しステップＳ３２において伝送スピードを確認し、ステップＳ３３においてコンピュータ５の受信スピードを送部で決められた伝送スピードに合わせて決定し、映像伝送データの受信を行う。受信した映像データはコンピュータ５の表示装置７にて表示、もしくは記憶装置６に記憶される。
【００２１】
このように本発明の無線データ方法では無線伝搬状態にかかわらず伝送する映像データの圧縮形式と画像サイズに合わせて固定した伝送スピードでデータを伝送する事が出来る。
【００２２】
【発明の効果】
以上に述べたように、本発明によれば映像データ以外のデータを伝送する時には、データ伝送速度は、その時の無線伝搬状態により送ることの出来る最速のスピードで伝送し、映像データを伝送する場合は、無線伝搬状態にかかわらず伝送する映像データの圧縮形式と画像サイズに合わせた伝送スピードでデータを伝送する事が出来る為、送信部もしくは受信部の移動等による無線伝搬状態が劣化しても、安定してデータの伝送が出来、エラーの増大による受信部の受信映像データの途切れや、映像画面の乱れが発生することはない。
【図面の簡単な説明】
【図１】本発明の実施形態における無線データ伝送に係る機器のブロック構成図である。
【図２】本発明無線データ伝送に係る送信ソフトのフローチャートである。
【図３】本発明無線データ伝送に係る無線伝搬確認のフローチャートである。
【図４】本発明無線データ伝送に係る受信ソフトのフローチャートである。
【図５】従来の無線データ伝送に係る機器のブロック構成図である。
【図６】従来の無線データ伝送に係る送信ソフトのフローチャートである。
【図７】従来の無線データ伝送に係る受信ソフトのフローチャートである。
【符号の説明】
１　　記憶装置
２　　コンピュータ
３　　無線データ送信装置
４　　無線データ受信装置
５　　コンピュータ
６　　記憶装置
８　　記憶装置
９　　コンピュータ
１０　無線データ送信装置
１１　無線データ受信装置
１２　コンピュータ
１３　記憶装置
【図１】
2004007183.tif 000003
【図２】
2004007183.tif 000004
【図３】
2004007183.tif 000005
【図４】
2004007183.tif 000006
【図５】
2004007183.tif 000007
【図６】
2004007183.tif 000008
【図７】
2004007183.tif 000009